(57)【要約】【課題】操作感の調整を容易に行うことができるスイッチ用パッキン及びそれを用いたスイッチ装置を提供する。【解決手段】スイッチ用パッキン５は、例えば、基部５０と、基部５０の表面５０ａから立ち上がるように設けられた複数の壁部と、複数の壁部に囲まれた領域側、及び領域の反対側、の少なくともいずれかの側に向かって突出するように、組みとなる壁部に設けられた複数の突起部と、を有し、被取付部材としての上部筐体３の開口から露出する複数の壁部の領域に挿入されて操作ボタンが上部筐体３に取り付けられ、操作ボタンと上部筐体３との間に挟まれた壁部及び突起部が変形することで操作ボタンの操作感を生成するスイッチ機構部を備えて概略構成されている。【選択図】図１
2015144075.tif 000002
【特許請求の範囲】
【請求項１】
基部と、
前記基部の表面から立ち上がるように設けられた複数の壁部と、
前記複数の壁部に囲まれた領域側、及び前記領域の反対側、の少なくともいずれかの側に向かって突出するように、組みとなる前記壁部に設けられた複数の突起部と、
を有し、
被取付部材の開口から露出する前記複数の壁部の前記領域に挿入されて操作ボタンが前記被取付部に取り付けられ、前記操作ボタンと前記被取付部材との間に挟まれた前記壁部及び前記突起部が変形することで前記操作ボタンの操作感を生成するスイッチ機構部、
を備えたスイッチ用パッキン。
【請求項２】
前記複数の壁部により形成される外周は、前記開口の周よりも小さい、
請求項１に記載のスイッチ用パッキン。
【請求項３】
前記壁部は、円筒を軸方向に分割した形状を有する、
請求項１又は２に記載のスイッチ用パッキン。
【請求項４】
前記基部の周囲から突出するように設けられた異物の侵入を抑制するシール部を有する、
請求項１乃至３のいずれか１項に記載のスイッチ用パッキン。
【請求項５】
請求項１乃至４のいずれか１項に記載の前記スイッチ用パッキンと、
前記複数の壁部により囲まれる前記領域に挿入される凸部を有する前記操作ボタンと、
前記操作ボタンになされたプッシュ操作に基づいて前記凸部及び前記スイッチ用パッキンを介して開閉するスイッチ素子と、
を備えたスイッチ装置。
【請求項６】
プッシュ操作がなされる操作面の反対側に突出する凸部を有する操作ボタンと、
前記操作ボタンになされた前記プッシュ操作に基づいて開閉するスイッチ素子と、
基部、前記基部の表面から立ち上がるように設けられた複数の壁部、及び前記複数の壁部に囲まれた領域側及び前記領域の反対側の少なくともいずれかの側に向かって突出するように組みとなる前記壁部に設けられた複数の突起部を有し、被取付部材の開口から露出する前記複数の壁部の前記領域に前記凸部が挿入されて操作ボタンが前記被取付部に取り付けられ、前記操作ボタンと前記被取付部材との間に挟まれた前記壁部及び前記突起部が変形することで前記操作ボタンの操作感を生成するスイッチ機構部を有するスイッチ用パッキンと、
を備えたスイッチ装置。
【請求項７】
前記凸部は、テーパー形状を有する、
請求項６に記載のスイッチ装置。
【請求項８】
前記被取付部材は、前記壁部が接触する前記開口の周囲に、前記周囲に隣接する部分よりも肉厚となる厚肉部が形成される、
請求項６又は７に記載のスイッチ装置。
【発明の詳細な説明】
【技術分野】
【０００１】
本発明は、スイッチ用パッキン及びそれを用いたスイッチ装置に関する。
【背景技術】
【０００２】
従来の技術として、スイッチが配置された回路基板と、第１ケースと第２ケースを有する内側ケースと、回路基板と第１ケースとの間に配置されると共に、第１ケースと第２ケースとの間に狭持された状態で内側ケースに収容されたカバーと、内側ケースを収容すると共に、スイッチと対向する部分に開口部が形成された外側ケースと、開口部から露出した状態で開口部に配置されたアウターノブと、を備えた携帯型送信機が知られている（例えば、特許文献１参照。）。
【０００３】
この携帯型送信機のカバーは、第１ケースに形成された貫通孔に向かって突出する突出部と、突出部の周囲を湾曲させて形成された荷重緩和部と、を有している。携帯型送信機は、この突出部の先端部に位置する部分をアウターノブに接触させて変形させて弾性反発力をアウターノブに付加すると共に、先端部と反対側の部分をスイッチに接触させている。従ってアウターノブは、主に、カバーの突出部と荷重緩和部とにより、操作感が生成されている。
【先行技術文献】
【特許文献】
【０００４】
【特許文献１】特開２０１１−２０８４５０号公報
【発明の概要】
【発明が解決しようとする課題】
【０００５】
しかし、従来の携帯型送信機は、アウターノブの操作感を調整するためには、相互に作用する、突出部の弾性反発力と荷重緩和部の弾性反発力と、を制御する必要があるので、操作感の調整が困難だった。
【０００６】
従って、本発明の目的は、操作感の調整を容易に行うことができるスイッチ用パッキン及びそれを用いたスイッチ装置を提供することにある。
【課題を解決するための手段】
【０００７】
本発明の一態様は、基部と、基部の表面から立ち上がるように設けられた複数の壁部と、複数の壁部に囲まれた領域側、及び領域の反対側、の少なくともいずれかの側に向かって突出するように、組みとなる壁部に設けられた複数の突起部と、を有し、被取付部材の開口から露出する複数の壁部の領域に挿入されて操作ボタンが被取付部に取り付けられ、操作ボタンと被取付部材との間に挟まれた壁部及び突起部が変形することで操作ボタンの操作感を生成するスイッチ機構部、を備えたスイッチ用パッキンを提供する。
【発明の効果】
【０００８】
本発明によれば、操作感の調整を容易に行うことができる。
【図面の簡単な説明】
【０００９】
【図１】図１は、第１の実施の形態に係る電子キーの展開図である。
【図２】図２（ａ）は、第１の実施の形態に係るスイッチ用パッキンの上面図であり、図２（ｂ）は、第１のスイッチ機構部の拡大図である。
【図３】図３（ａ）は、第１の実施の形態に係るスイッチ用パッキンを用いた電子キーの図１のIII（ａ）-III（ａ）線で切断した断面を矢印方向から見た組み付け前の断面図であり、図３（ｂ）は、図３（ａ）の第１のスイッチ機構部近傍の拡大図であり、図３（ｃ）は、第１のスイッチ機構部のシール部近傍の拡大図である。
【図４】図４（ａ）は、第１の実施の形態に係るスイッチ用パッキンを用いた電子キーの図１のIV（ａ）-IV（ａ）線で切断した断面を矢印方向から見た組み付け後の断面図であり、図４（ｂ）は、図４（ａ）の第１のスイッチ機構部近傍の拡大図であり、図４（ｃ）は、操作ボタンにプッシュ操作がなされた場合の第１のスイッチ機構部のシール部近傍の拡大図である。
【図５】図５（ａ）は、第２の実施の形態に係るスイッチ用パッキンのスイッチ機構部の上面図であり、図５（ｂ）は、第３の実施の形態に係るスイッチ用パッキンのスイッチ機構部の斜視図であり、図５（ｃ）は、第４の実施の形態に係るスイッチ用パッキンのスイッチ機構部の上面図であり、図５（ｄ）は、操作ボタンの裏面図である。
【発明を実施するための形態】
【００１０】
（実施の形態の要約）
実施の形態に係るスイッチ用パッキンは、基部と、基部の表面から立ち上がるように設けられた複数の壁部と、複数の壁部に囲まれた領域側、及び領域の反対側、の少なくともいずれかの側に向かって突出するように、組みとなる壁部に設けられた複数の突起部と、を有し、被取付部材の開口から露出する複数の壁部の領域に挿入されて操作ボタンが被取付部に取り付けられ、操作ボタンと被取付部材との間に挟まれた壁部及び突起部が変形することで操作ボタンの操作感を生成するスイッチ機構部、を備えて概略構成されている。
【００１１】
このスイッチ用パッキンは、操作ボタンの操作感をスイッチ機構部の複数の壁部及び複数の突起部により生成するので、少なくとも被取付部材又は操作ボタンの寸法を調整することにより、壁部及び突起部の変形量を調整して、操作感を容易に調整することができる。
【００１２】
[第１の実施の形態]
（電子キー１の全体構成）
図１は、第１の実施の形態に係る電子キーの展開図である。なお、以下に記載する実施の形態に係る各図において、図形間の比率は、実際の比率とは異なる場合がある。
【００１３】
スイッチ装置としての電子キー１は、一例として、車両のドア及びトランクのロック、アンロックの遠隔操作を可能とした携帯機である。この電子キー１は、図１に示すように、下部筐体２と、上部筐体３と、基板４と、スイッチ用パッキン５と、第１の操作ボタン６〜第３の操作ボタン８と、第１のスイッチ素子４１〜第３のスイッチ素子４３と、を備えて概略構成されている。なお操作ボタンの数は、３つに限定されず、電子キー１の仕様に応じて変更される。
【００１４】
（下部筐体２と上部筐体３の構成）
この下部筐体２及び上部筐体３は、例えば、ポリスチレン系、ポリエチレン系、ポリアミド系、アクリロニトリル／ブタジエン／スチレン（ＡＢＳ）等の合成樹脂材料を用いて形成されている。
【００１５】
下部筐体２は、図１に示すように、側壁２００の内側に複数の凹部２０１を有している。また上部筐体３は、この凹部２０１に対応する凸部３００を有している。上部筐体３は、下部筐体２と重ね合わせて、上部筐体３の凸部３００を、下部筐体２の対応する凹部２０１に嵌め込むことにより、下部筐体２と上部筐体３とが一体となるように構成されている。
【００１６】
下部筐体２は、底部２０に収容部２２が設けられている。この収容部２２には、下部筐体２の裏側に配置された電池４５の一部が露出する開口２２０が設けられている。基板４は、裏面４０ｂに配置された端子と、開口２２０に露出する電池４５と、が接触するように、収容部２２に収容される。この収容部２２は、側壁２３に囲まれた領域として形成されている。
【００１７】
上部筐体３は、矩形状の開口３１ａ〜開口３３ａが表面３０に並んで設けられている。開口３１ａは、第１の操作ボタン６に対応して設けられている。開口３２ａは、第２の操作ボタン７に対応して設けられている。開口３３ａは、第３の操作ボタン８に対応して設けられている。
【００１８】
開口３１ａは、中央に貫通孔３１ｂが設けられている。この貫通孔３１ｂは、上部筐体３の厚み方向に貫通する円形の孔である。この貫通孔３１ｂには、スイッチ用パッキン５の第１のスイッチ機構部５１が貫通するように構成されている。また開口３１ａは、貫通孔３１ｂを挟むように、挿入孔３１ｃ及び挿入孔３１ｄが設けられている。この挿入孔３１ｃ及び挿入孔３１ｄは、上部筐体３の厚み方向に貫通する矩形の孔である。挿入孔３１ｃには、第１の操作ボタン６の脚部６１が挿入され、挿入孔３１ｄには、第１の操作ボタン６の脚部６２が挿入されるように構成されている。
【００１９】
また開口３２ａは、中央に貫通孔３２ｂが設けられている。この貫通孔３２ｂは、上部筐体３の厚み方向に貫通する円形の孔である。この貫通孔３２ｂには、スイッチ用パッキン５の第２のスイッチ機構部５２が貫通するように構成されている。また開口３２ａは、貫通孔３２ｂを挟むように、挿入孔３２ｃ及び挿入孔３２ｄが設けられている。この挿入孔３２ｃ及び挿入孔３２ｄは、上部筐体３の厚み方向に貫通する矩形の孔である。挿入孔３２ｃには、第２の操作ボタン７の脚部７１が挿入され、挿入孔３２ｄには、第２の操作ボタン７の脚部７２が挿入されるように構成されている。
【００２０】
さらに開口３３ａは、中央に貫通孔３３ｂが設けられている。この貫通孔３３ｂは、上部筐体３の厚み方向に貫通する円形の孔である。この貫通孔３３ｂには、スイッチ用パッキン５の第３のスイッチ機構部５３が貫通するように構成されている。また開口３３ａは、貫通孔３３ｂを挟むように、挿入孔３３ｃ及び挿入孔３３ｄが設けられている。この挿入孔３３ｃ及び挿入孔３３ｄは、上部筐体３の厚み方向に貫通する矩形の孔である。挿入孔３３ｃには、第３の操作ボタン８の脚部８１が挿入され、挿入孔３３ｄには、第３の操作ボタン８の脚部８２が挿入されるように構成されている。
【００２１】
（基板４の構成）
基板４は、矩形状を有し、電子部品を搭載することが可能なプリント配線基板である。この基板４は、その表面４０ａに、第１のスイッチ素子４１〜第３のスイッチ素子４３が配置されている。
【００２２】
基板４は、収容部２２に収容されると共に、収容部２２の内部に設けられた支持部２２１に支持される。上述の第１のスイッチ素子４１〜第３のスイッチ素子４３は、先端部が本体に押し込まれることにより、スイッチの開閉を示す開閉信号を出力するように構成されたマイクロスイッチである。
【００２３】
この第１のスイッチ素子４１〜第３のスイッチ素子４３は、上部筐体３の開口３１ａ〜開口３３ａに対応して基板４に配置されている。
【００２４】
また基板４には、上述の開閉信号を出力する通信回路等が配置されている。この通信回路は、電子キー１の開閉信号を、車両の通信部に無線で送信するように構成されている。
【００２５】
（スイッチ用パッキン５の構成）
図２（ａ）は、第１の実施の形態に係るスイッチ用パッキンの上面図であり、図２（ｂ）は、第１のスイッチ機構部の拡大図である。図３（ａ）は、第１の実施の形態に係るスイッチ用パッキンを用いた電子キーの図１のIII（ａ）-III（ａ）線で切断した断面を矢印方向から見た組み付け前の断面図であり、図３（ｂ）は、図３（ａ）の第１のスイッチ機構部近傍の拡大図であり、図３（ｃ）は、第１のスイッチ機構部のシール部近傍の拡大図である。図４（ａ）は、第１の実施の形態に係るスイッチ用パッキンを用いた電子キーの図１のIV（ａ）-IV（ａ）線で切断した断面を矢印方向から見た組み付け後の断面図であり、図４（ｂ）は、図４（ａ）の第１のスイッチ機構部近傍の拡大図であり、図４（ｃ）は、操作ボタンにプッシュ操作がなされた場合の第１のスイッチ機構部のシール部近傍の拡大図である。なおプッシュ操作とは、操作ボタンを上部筐体３に押し込む操作を示している。
【００２６】
スイッチ用パッキン５は、例えば、変形が容易な合成ゴム、シリコーン樹脂等を用いて矩形に形成されている。本実施の形態のスイッチ用パッキン５は、主にシリコーン樹脂を用いて形成されている。
【００２７】
このスイッチ用パッキン５は、例えば、基部５０と、基部５０の表面５０ａから立ち上がるように設けられた複数の壁部と、複数の壁部に囲まれた領域側、及び領域の反対側、の少なくともいずれかの側に向かって突出するように、組みとなる壁部に設けられた複数の突起部と、を有し、被取付部材としての上部筐体３の開口から露出する複数の壁部の領域に挿入されて操作ボタンが上部筐体３に取り付けられ、操作ボタンと上部筐体３との間に挟まれた壁部及び突起部が変形することで操作ボタンの操作感を生成するスイッチ機構部、を備えて概略構成されている。
【００２８】
本実施の形態のスイッチ用パッキン５は、図２（ａ）に示すように、操作ボタンの数に合わせて第１のスイッチ機構部５１〜第３のスイッチ機構部５３を備えている。またスイッチ用パッキン５は、基部５０の周囲に設けられたシール部５５を備えている。
【００２９】
このスイッチ用パッキン５は、裏面５０ｂ側に凹形状を有する凹部５４を有している。スイッチ用パッキン５は、この凹部５４が形成する空間に第１のスイッチ素子４１〜第３のスイッチ素子４３が配置されるように、下部筐体２と上部筐体３との間に配置される。
【００３０】
第１のスイッチ機構部５１〜第３のスイッチ機構部５３は、円筒を軸方向に分割した形状を有する複数の壁部を備えている。この軸方向とは、円筒の中心軸に沿う方向である。
【００３１】
第１のスイッチ機構部５１は、図２（ａ）に示すように、複数の壁部として第１の壁部５１０と第２の壁部５１１を備えている。この第１の壁部５１０と第２の壁部５１１は、組みとされている。また第１の壁部５１０と第２の壁部５１１との間には、軸方向に沿って開口したスリット５１２及びスリット５１３が形成されている。
【００３２】
また第１の壁部５１０と第２の壁部５１１とで囲まれた領域５１４の底面は、なされた操作に基づいて第１のスイッチ素子４１と接触する接触部５１５とされている。この第１の壁部５１０と第２の壁部５１１の外側には、第１の壁部５１０と第２の壁部５１１を挟むように、凹部５１８及び凹部５１９が設けられている。この凹部５１８及び凹部５１９は、基部５０の表面５０ａに設けられた貫通しない凹みとして形成されている。
【００３３】
第２のスイッチ機構部５２は、図２（ａ）に示すように、複数の壁部として第１の壁部５２０と第２の壁部５２１を備えている。この第１の壁部５２０と第２の壁部５２１は、組みとされている。また第２の壁部５２０と第２の壁部５２１との間には、軸方向に沿って開口したスリット５２２及びスリット５２３が形成されている。
【００３４】
また第１の壁部５２０と第２の壁部５２１とで囲まれた領域５２４の底面は、なされた操作に基づいて第２のスイッチ素子４２と接触する接触部５２５とされている。この第１の壁部５２０と第２の壁部５２１の外側には、第１の壁部５２０と第２の壁部５２１を挟むように、凹部５２８及び凹部５２９が設けられている。この凹部５２８及び凹部５２９は、基部５０の表面５０ａに設けられた貫通しない凹みとして形成されている。
【００３５】
同様に、第３のスイッチ機構部５３は、図２（ａ）に示すように、複数の壁部として第１の壁部５３０と第２の壁部５３１を備えている。この第１の壁部５３０と第２の壁部５３１は、組みとされている。また第２の壁部５３０と第２の壁部５３１との間には、軸方向に沿って開口したスリット５３２及びスリット５３３が形成されている。
【００３６】
また第１の壁部５３０と第２の壁部５３１とで囲まれた領域５３４の底面は、なされた操作に基づいて第３のスイッチ素子４３と接触する接触部５３５とされている。この第１の壁部５３０と第２の壁部５３１の外側には、第１の壁部５３０と第２の壁部５３１を挟むように、凹部５３８及び凹部５３９が設けられている。この凹部５３８及び凹部５３９は、基部５０の表面５０ａに設けられた貫通しない凹みとして形成されている。
【００３７】
第１のスイッチ機構部５１は、第１の壁部５１０と第２の壁部５１１によって形成される外周が、貫通孔３１ｂの周よりも小さくなるように構成されている。また第２のスイッチ機構部５２は、第１の壁部５２０と第２の壁部５２１によって形成される外周が、貫通孔３２ｂの周よりも小さくなるように構成されている。同様に、第３のスイッチ機構部５３は、第１の壁部５３０と第２の壁部５３１によって形成される外周が、貫通孔３３ｂの周よりも小さくなるように構成されている。従って第１のスイッチ機構部５１〜第３のスイッチ機構部５３は、対応する貫通孔３１ｂ〜貫通孔３３ｂに容易に挿入することが可能となっている。
【００３８】
第１のスイッチ機構部５１〜第３のスイッチ機構部５３は、上述のように同じ構成を有するので、以下では、第１のスイッチ機構部５１を例に取って、さらに具体的な構成を説明する。
【００３９】
第１のスイッチ機構部５１は、図２（ｂ）に示すように、領域５１４側に突出する突起部５１０ｃ及び突起部５１１ｃが設けられている。なお、変形例として、突起部５１０ｃ及び突起部５１１ｃが、領域５１４の反対側、つまり外面５１０ｂ及び外面５１１ｂから突出するように設けられても良い。また突起部は、１つの壁部に複数設けられても良い。さらに、突起部は、領域側と、外面側と、に設けられても良い。なお、突起部が外面に設けられる場合、及び領域側と外面側とに設けられている場合は、この突起部を含めて対応する貫通孔よりも小さくなるように、スイッチ機構部は構成される。
【００４０】
突起部５１０ｃは、第１の壁部５１０の接触部５１５とは反対側の内面５１０ａに設けられている。つまり突起部５１０ｃは、第１の壁部５１０の上面５１０ｅが領域５１４側に拡張されたように突出し、その先端部５１０ｄは、丸みを帯びている。
【００４１】
同様に、突起部５１１ｃは、第２の壁部５１１の接触部５１５とは反対側の内面５１１ａに設けられている。つまり突起部５１１ｃは、第２の壁部５１１の上面５１１ｅが領域５１４側に拡張されたように突出し、その先端部５１１ｄは、丸みを帯びている。
【００４２】
凹部５１８及び凹部５１９は、矩形の凹みとして形成されている。凹部５１８は、図３（ａ）に示すように、第１の操作ボタン６の脚部６１が挿入されると共に、脚部６１がプッシュ方向及びその逆方向に移動可能となるように構成されている。また凹部５１９は、第１の操作ボタン６の脚部６２が挿入されると共に、脚部６２がプッシュ方向及びその逆方向に移動可能となるように構成されている。
【００４３】
上部筐体３は、図３（ｃ）に示すように、裏側にスイッチ用パッキン５を収容する収容部３５を有している。シール部５５は、上部５５ａが収容部３５の側壁３６の下面３７と接触すると共に、下部５５ｂが収容部２２の側壁２３の上面２４と接触する。従って下部筐体２と上部筐体３とが組み付けられると、シール部５５は、側壁３６と側壁２３とに挟まれて変形する。
【００４４】
スイッチ用パッキン５は、シール部５５の変形により、収容部２２と収容部３５との間の隙間をなくし、基板４が配置された空間に、水や埃等の異物が侵入することを抑制することが可能となる。
【００４５】
（第１の操作ボタン６〜第３の操作ボタン８の構成）
第１の操作ボタン６〜第３の操作ボタン８は、例えば、ポリスチレン系、ポリエチレン系、ポリアミド系、アクリロニトリル／ブタジエン／スチレン（ＡＢＳ）等の合成樹脂材料を用いて形成されている。この第１の操作ボタン６〜第３の操作ボタン８は、操作がなされる操作面６０ａ〜操作面８０ａが、丸みを帯びた矩形状に形成されている。
【００４６】
第１の操作ボタン６の裏面６０ｂには、その両端部に脚部６１及び脚部６２が設けられている。また第２の操作ボタン７の裏面７０ｂには、その両端部に脚部７１及び脚部７２が設けられている。同様に、第３の操作ボタン８の裏面８０ｂには、その両端部に脚部８１及び脚部８２が設けられている。
【００４７】
第１の操作ボタン６の脚部６１は、裏面６０ｂの略法線方向に突出する板形状の部材で、その端部には、外側に向けて爪６１ａが設けられている。また脚部６２は、裏面６０ｂの略法線方向に突出する板形状の部材で、その端部には、外側に向けて爪６２ａが設けられている。
【００４８】
爪６１ａは、図４（ａ）に示すように、先端に向かうに従って細くなる形状を有し、挿入孔３１ｃに挿入されて上部筐体３と噛み合うことで、第１の操作ボタン６が上部筐体３から外れることを防止している。同様に、爪６２ａは、先端に向かうに従って細くなる形状を有し、挿入孔３１ｄに挿入されて上部筐体３と噛み合うことで、第１の操作ボタン６が上部筐体３から外れることを防止している。
【００４９】
爪６１ａは、挿入孔３１ｃに挿入されると共に、スイッチ用パッキン５の凹部５１８に挿入される。また爪６２ａは、挿入孔３１ｄに挿入されると共に、凹部５１９に挿入される。従って第１の操作ボタン６は、図４（ａ）に示すように、なされたプッシュ操作に基づく変位がスイッチ用パッキン５に阻害されないように構成されている。
【００５０】
第２の操作ボタン７及び第３の操作ボタン８は、脚部７１、脚部７２、脚部８１及び脚部８２に、爪６１ａ及び爪６２ａと同様の形状及び機能を有する爪を備えている。
【００５１】
第２の操作ボタン７の脚部７１の爪は、挿入孔３２ｃに挿入されると共に、スイッチ用パッキン５の凹部５２８に挿入される。また脚部７２の爪は、挿入孔３２ｄに挿入されると共に、凹部５２９に挿入される。従って第２の操作ボタン７は、なされたプッシュ操作に基づく変位がスイッチ用パッキン５に阻害されないように構成されている。
【００５２】
第３の操作ボタン８の脚部８１の爪は、挿入孔３３ｃに挿入されると共に、スイッチ用パッキン５の凹部５３８に挿入される。また脚部８２の爪は、挿入孔３３ｄに挿入されると共に、凹部５３９に挿入される。従って第３の操作ボタン８は、なされたプッシュ操作に基づく変位がスイッチ用パッキン５に阻害されないように構成されている。
【００５３】
第１の操作ボタン６は、裏面６０ｂの中央に、略法線方向に突出する凸部６３が設けられている。この凸部６３は、図３（ａ）に示すように、円錐の先端が切り取られたような形状を有している。この凸部６３の先端の先端面６４は、第１のスイッチ機構部５１の接触部５１５に接触する。
【００５４】
第２の操作ボタン７は、裏面７０ｂの中央に、略法線方向に突出する凸部７３が設けられている。この凸部７３は、第１の操作ボタン８と同様に、円錐の先端が切り取られたような形状を有している。この凸部７３の先端の先端面は、第２のスイッチ機構部５２の接触部５２５に接触する。
【００５５】
第３の操作ボタン８は、裏面８０ｂの中央に、略法線方向に突出する凸部８３が設けられている。この凸部８３は、第１の操作ボタン８と同様に、円錐の先端が切り取られたような形状を有している。この凸部８３の先端の先端面は、第３のスイッチ機構部５３の接触部５３５に接触する。
【００５６】
ここで、第２の操作ボタン７及び第３の操作ボタン８の操作感は、第１の操作ボタン６と同様に生成されるので、以下では、第１の操作ボタン６の操作感について説明する。
【００５７】
（第１の操作ボタン６の操作感について）
第１の操作ボタン６は、図３（ａ）に示すように、下部筐体２及び上部筐体３が組み付けられた状態で取り付けられる。第１の操作ボタン６が、開口３１ａに挿入されると、脚部６１の爪６１ａが上部筐体３の斜面３１０に接触すると共に、脚部６２の爪６２ａが斜面３１１に接触する。
【００５８】
脚部６１と脚部６２は、爪６１ａと爪６２ａの接触により、脚部６１と脚部６２との距離が縮まるように変形する。さらに第１の操作ボタン６が上部筐体３に押し込まれると、爪６１ａが挿入孔３１ｃを貫通すると共に、爪６２ａが挿入孔３１ｄを貫通する。爪６１ａ及び爪６２ａが挿入孔３１ｃ及び挿入孔３１ｄを貫通することにより、脚部６１と脚部６２との距離が元の距離に戻る。この距離が戻ることで、爪６１ａ及び爪６２ａが上部筐体３の内側に広がり、第１の操作ボタン６は、上部筐体３に取り付けられる。
【００５９】
この取り付けの過程において、第１の操作ボタン６の凸部６３は、第１のスイッチ機構部５１の第１の壁部５１０及び第２の壁部５１１で囲まれた領域５１４に挿入される。この凸部６３の挿入により、図４（ａ）及び図４（ｂ）に示すように、第１の壁部５１０の先端部５１０ｄ、及び第２の壁部５１１の先端部５１１ｄが、凸部６３の側面であるテーパー面６３ａに接触する。
【００６０】
この先端部５１０ｄ及び先端部５１１ｄとテーパー面６３ａとの接触によって、第１の壁部５１０及び第２の壁部５１１が、貫通孔３１ｂの外側に向かって押し広げられて変形する。第１の操作ボタン６が上部筐体３に取り付けられると、第１の操作ボタン６と上部筐体３との間に挟まれた第１の壁部５１０、第２の壁部５１１、突起部５１０ｃ及び突起部５１１ｃが変形する。
【００６１】
ここで、上部筐体３には、図４（ａ）及び図４（ｂ）に示すように、第１の壁部５１０及び第２の壁部５２が接触する開口３１ａの周囲に、この周囲に隣接する部分よりも肉厚となる厚肉部３１０ａが形成されている。第１の壁部５１０と突起部５１０ｃ、及び第２の壁部５１１と突起部５１１ｃは、凸部６３と、この厚肉部３１０ａの斜面３１０ｂと、に挟まれる。この厚肉部３１０ａは、貫通孔３１ｂ側が薄く、離れるに従って厚くなるように構成されている。
【００６２】
図４（ａ）に示す状態から第１の操作ボタン６にプッシュ操作がなされると、図４（ｃ）に示すように、第１の操作ボタン６の上部筐体３方向の変位により、第１の壁部５１０及び突起部５１０ｃと、第２の壁部５１１及び突起部５１１ｃと、が変形し、操作面６０ａに操作を行う操作者の指に変形に基づく反力を与える。この反力が、操作者に与える操作感となる。従って操作感は、壁部と突起部の変化量を調整することにより、調整することが可能となる。
【００６３】
以下に、電子キー１の動作について各図を参照して説明する。
【００６４】
（動作）
操作者が第１の操作ボタン６の操作面６０ａに対してプッシュ操作を行う。第１の操作ボタン６は、プッシュ操作に基づいて、上部筐体３に向かって変位する。この変位に従って、脚部６１がスイッチ用パッキン５の凹部５１８、及び脚部６２が凹部５１９内を、第１の壁部５１０、第２の壁部５１１、突起部５１０ｃ及び突起部５１１ｃを変形させながら変位すると共に、凸部６３が第１のスイッチ機構部５１の接触部５１５を介して第１のスイッチ素子４１の先端部４１０を押し下げる。
【００６５】
この第１のスイッチ素子４１の先端部４１０の押し下げにより、第１のスイッチ素子４１は、閉じたことを示す開閉信号を出力する。
【００６６】
操作者が、第１の操作ボタン６に対するプッシュ操作を解除すると、主に、第１の壁部５１０、第２の壁部５１１、突起部５１０ｃ及び突起部５１１ｃが、プッシュ操作に基づく変形前の状態に戻ろうとして、プッシュ操作とは逆方向の復元力を生成する。第１の操作ボタン６は、この復元力に基づいて、プッシュ操作がなされる前の状態に戻る。
【００６７】
このプッシュ操作がなされる前の状態に戻る過程において、第１のスイッチ素子４１は、先端部４１０が、本体から突出して、開いたことを示す開閉信号を出力する。
【００６８】
（第１の実施の形態の効果）
本実施の形態に係るスイッチ用パッキン５及びそれを用いた電子キー１は、第１の操作ボタン６の操作感を第１のスイッチ機構部５１の第１の壁部５１０、第２の壁部５２０、突起部５１０ｃ及び突起部５１０ｃにより生成するので、少なくとも上部筐体３の厚肉部３１０ａの寸法、又は第１の操作ボタン６の凸部６３の寸法を調整することにより、第１の壁部５１０、第２の壁部５２０、突起部５１０ｃ及び突起部５１０ｃの変形量を調整して、操作感を容易に調整することができる。
【００６９】
またスイッチ用パッキン５及びそれを用いた電子キー１は、上述の調整に加えて、第１の壁部５１０、第２の壁部５２０、突起部５１０ｃ及び突起部５１０ｃの寸法を調整することによって、操作感を調整することができるので、調整の自由度が大きい。
【００７０】
スイッチ用パッキン５及びそれを用いた電子キー１は、シール部５５を有しているので、基板４に、水や埃等の異物が侵入することを防止することができる。
【００７１】
スイッチ用パッキン５及びそれを用いた電子キー１は、第１のスイッチ機構部５１〜第３のスイッチ機構部５３の形状が、円筒を分割したような単純な形状を有しているので、容易に形成することが可能となり、製造コストが低減される。
【００７２】
スイッチ用パッキン５及びそれを用いた電子キー１は、第１のスイッチ機構部５１の第１の壁部５１０及び第２の壁部５１１の外周が、開口３１ａの貫通孔３１ｂの内周よりも小さいので、外周が内周よりも大きいものと比べて、組み付けが簡単となり、製造コストが低減される。
【００７３】
［第２の実施の形態］
第２の実施の形態は、スイッチ機構部が３つの壁部で構成される点で上述の実施の形態と異なっている。
【００７４】
図５（ａ）は、第２の実施の形態に係るスイッチ用パッキンのスイッチ機構部の上面図である。なお以下に記載する実施の形態において、第１の実施の形態と同じ機能及び構成を有する部分は、第１の実施の形態と同じ符号を付し、その説明は省略するものとする。
【００７５】
このスイッチ用パッキン９ａは、図５（ａ）に示すように、第１の壁部９１〜第３の壁部９３が組みとなって、スイッチ機構部９０を構成している。なおスイッチ機構部９０は、第１の操作ボタン６に対応して設けられている。
【００７６】
第１の壁部９１〜第３の壁部９３は、円筒を軸方向に分割したような形状を有している。この第１の壁部９１には、突起部９１０が設けられている。第２の壁部９２には、突起部９２０が設けられている。また第３の壁部９３には、突起部９３０が設けられている。
【００７７】
また第１の壁部９１と第２の壁部９２との間には、スリット９４ａが形成されている。第２の壁部９２と第３の壁部９３との間には、スリット９４ｂが形成されている。第３の壁部９３と第１の壁部９１との間には、スリット９４ｃが形成されている。このスリット９４ａ〜スリット９４ｃは、基部５０の表面５０ａまで到達するものである。
【００７８】
第１の壁部９１〜第３の壁部９３は、第１の操作ボタン６の凸部６３が、この第１の壁部９１〜第３の壁部９３に囲まれた領域９４に挿入されると、領域９４の反対側に変形し、上部筐体３の厚肉部３１０ａと凸部６３とに挟まれて操作感を生成する。
【００７９】
（第２の実施の形態の効果）
本実施の形態に係るスイッチ用パッキン９ａ及びそれを用いた電子キーは、第１の壁部９１〜第３の壁部９３により、スリット９４ａ〜スリット９４ｃが形成されるので、第１の操作ボタン６の取り付けの際に、壁部が２つの場合よりも変形し易いので、取り付けが容易となる。
【００８０】
［第３の実施の形態］
第３の実施の形態は、スリットが軸方向の途中までしか形成されていない点が上述の実施の形態と異なっている。
【００８１】
図５（ｂ）は、第３の実施の形態に係るスイッチ用パッキンのスイッチ機構部の斜視図である。
【００８２】
このスイッチ用パッキン９ｂのスイッチ機構部９５は、図５（ｂ）に示すように、第１の壁部９６と、第２の壁部９７と、を備えている。この第１の壁部９６と第２の壁部９７とは、基部５０側で繋がっている。つまり第１の壁部９６と第２の壁部９７とにより形成されるスリット９５０及びスリット９５１は、基部５０に達していない。
【００８３】
この第１の壁部９６は、突起部９６ａが設けられている。また第２の壁部９７には、突起部９７ａが設けられている。この第１の壁部９６及び第２の壁部９７は、第１の操作ボタン６の凸部６３が、この第１の壁部９６及び第２の壁部９７に囲まれた領域９５５に挿入されると、領域９５５の反対側に変形し、上部筐体３の厚肉部３１０ａと凸部６３とに挟まれて操作感を生成する。
【００８４】
（第３の実施の形態の効果）
本実施の形態に係るスイッチ用パッキン９ｂ及びそれを用いた電子キーは、スリット９５０及びスリット９５１の深さにより、第１の壁部９６及び第２の壁部９７の変形のし易さを調整することができる。従ってスイッチ用パッキン９ｂは、操作感が軽い場合は、スリット９５０及びスリット９５１を浅くし、操作感が重い場合は、スリット９５０及びスリット９５１を深くすることにより、容易に操作感を調整することができる。
【００８５】
［第４の実施の形態］
第４の実施の形態は、壁部が、四角柱形状を有している点で上述の実施の形態と異なっている。
【００８６】
図５（ｃ）は、第４の実施の形態に係るスイッチ用パッキンのスイッチ機構部の上面図であり、図５（ｄ）は、操作ボタンの裏面図である。
【００８７】
このスイッチ用パッキン９ｃは、図５（ｃ）に示すように、第１の壁部９８０〜第４の壁部９８３が組みとなって、スイッチ機構部９８を構成している。従って上部筐体３は、この第１の壁部９８０〜第４の壁部９８３に応じた開口が形成される。
【００８８】
第１の壁部９８０〜第４の壁部９８３は、四角い筒を軸方向に分割したような形状を有している。この第１の壁部９８０には、突起部９８０ａが設けられている。第２の壁部９８１には、突起部９８１ａが設けられている。また第３の壁部９８２には、突起部９８２ａが設けられている。さらに第４の壁部９８３には、突起部９８３ａが設けられている。
【００８９】
ここで、突起部は、組みとなる壁部にのみ設けられても良い。つまり突起部は、対向する第１の壁部９８０と第３の壁部９８２、及び対向する第２の壁部９８１と第４の壁部９８３の少なくともいずれかを組みとして、設けられても良い。
【００９０】
操作ボタン９９は、図５（ｄ）に示すように、第１の壁部９８０〜第４の壁部９８３に対応した形状の凸部９９１を備えている。この凸部９９１は、四角錐の頂点を切断したような形状を有する。この切断された面は、接触面９９３として、スイッチ用パッキン９ｃに接触する。
【００９１】
また凸部９９１は、４つの斜面９９２ａ〜斜面９９２ｄを有している。この斜面９９２ａは、操作ボタン９９の取り付けにより、第１の壁部９８０と接触する。斜面９９２ｂは操作ボタン９９の取り付けにより、第２の壁部９８１と接触する。斜面９９２ｃは、操作ボタン９９の取り付けにより、第３の壁部９８２と接触する。斜面９９２ｄは、操作ボタン９９の取り付けにより、第４の壁部９８３と接触する。
【００９２】
第１の壁部９８０〜第４の壁部９８３は、操作ボタン９９の凸部９９１が、この第１の壁部９８０〜第４の壁部９８３に囲まれた領域９８５に挿入されると、凸部９９１の斜面９９２ａ〜斜面９９２ｄが接触して領域９８５の反対側に変形し、上部筐体３の厚肉部３１０ａと凸部６３とに挟まれて操作感を生成する。
【００９３】
なおスイッチ機構部の複数の壁部は、上述の実施の形態に示すように、上面視における円形状及び矩形状に限定されず、楕円形状、多角形状及びこれらを組み合わせた形状等、必要に応じた形状とすることが可能である。
【００９４】
（第３の実施の形態の効果）
本実施の形態に係るスイッチ用パッキン９ｃ及びそれを用いた電子キーは、第１の壁部９８０〜第４の壁部９８３が四角柱形状を有するので、円筒形状の壁部を変形させる場合と比べて容易に変形し、操作ボタン９９の取り付けが容易となる。
【００９５】
以上述べた少なくとも１つの実施の形態のスイッチ用パッキン及びそれを用いた電子キーによれば、操作感の調整を容易に行うことが可能となる。
【００９６】
上述の実施の形態において、電子キー１は、スイッチ用パッキン５が、下部筐体２と上部筐体３とに挟まれる構成を有していたが、これに限定されず、基板４及びスイッチ用パッキン５を一体としたユニットを下部筐体２と上部筐体３との間に配置する構成であっても良い。
【００９７】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００９８】
１…電子キー、２…下部筐体、３…上部筐体、４…基板、５…スイッチ用パッキン、６…第１の操作ボタン、７…第２の操作ボタン、８…第３の操作ボタン、９ａ〜９ｃ…スイッチ用パッキン、２０…底部、２２…収容部、２３…側壁、２４…上面、３０…表面、３１ａ…開口、３１ｂ…貫通孔、３１ｃ…挿入孔、３１ｄ…挿入孔、３２ａ…開口、３２ｂ…貫通孔、３２ｃ…挿入孔、３２ｄ…挿入孔、３３ａ…開口、３３ｂ…貫通孔、３３ｃ…挿入孔、３３ｄ…挿入孔、３５…収容部、３６…側壁、３７…下面、４０ａ…表面、４０ｂ…裏面、４１〜４３…第１のスイッチ素子〜第３のスイッチ素子、４５…電池、５０…基部、５０ａ…表面、５０ｂ…裏面、５１〜５３…第１のスイッチ機構部〜第３のスイッチ機構部、５４…凹部、５５…シール部、５５ａ…上部、５５ｂ…下部、６０ａ…操作面、６０ｂ…裏面、６１…脚部、６１ａ…爪、６２…脚部、６２ａ…爪、６３…凸部、６３ａ…テーパー面、６４…先端面、７０ｂ…裏面、７１…脚部、７２…脚部、７３…凸部、８０ａ…操作面、８０ｂ…裏面、８１…脚部、８２…脚部、８３…凸部、９０…スイッチ機構部、９１〜９３…第１の壁部〜第３の壁部、９４…領域、９４ａ…スリット、９４ｂ…スリット、９４ｃ…スリット、９５…スイッチ機構部、９６…第１の壁部、９６ａ…突起部、９７…第２の壁部、９７ａ…突起部、９８…スイッチ機構部、９９…操作ボタン、２００…側壁、２０１…凹部、２２０…開口、２２１…支持部、３００…凸部、３１０…斜面、３１０ａ…厚肉部、３１０ｂ…斜面、３１１…斜面、４１０…先端部、５１０…壁部、５１０ａ…内面、５１０ｂ…外面、５１０ｃ…突起部、５１０ｄ…先端部、５１０ｅ…上面、５１１…壁部、５１１ａ…内面、５１１ｂ…外面、５１１ｃ…突起部、５１１ｄ…先端部、５１１ｅ…上面、５１２…スリット、５１３…スリット、５１４…領域、５１５…接触部、５１８…凹部、５１９…凹部、５２０…第１の壁部、５２１…第２の壁部、５２２…スリット、５２３…スリット、５２４…領域、５２５…接触部、５２８…凹部、５２９…凹部、５３０…第１の壁部、５３１…第２の壁部、５３２…スリット、５３３…スリット、５３４…領域、５３５…接触部、５３８…凹部、５３９…凹部、９１０…突起部、９２０…突起部、９３０…突起部、９５０…スリット、９５１…スリット、９５５…領域、９８０…第１の壁部、９８０ａ…突起部、９８１…第２の壁部、９８１ａ…突起部、９８２…第３の壁部、９８２ａ…突起部、９８３…第４の壁部、９８３ａ…突起部、９８５…領域、９９１…凸部、９９２ａ〜９９２ｄ…斜面、９９３…接触面
【図１】
2015144075.tif 000003
【図２】
2015144075.tif 000004
【図３】
2015144075.tif 000005
【図４】
2015144075.tif 000006
【図５】
2015144075.tif 000007